(57)【特許請求の範囲】
【請求項１】
透明または半透明の合成樹脂シートで形成された商品収納部と、前記収納部の頭部両縁部に接続部を設けて付設された熱可塑性樹脂シート製の帯状ハンガーとで構成された吊り下げ陳列用ケースにおいて、前記帯状ハンガーに、当該帯状ハンガーの中央部に左右対称に並列し、前記中央部に通したフックを挟む形で吊り下げる複数の内方向き突起部を設けたことを特徴とする吊り下げ陳列用ケース。
【請求項２】
前記帯状ハンガーの突起部がエンボス加工により形成されたことを特徴とする請求項１に記載の吊り下げ陳列用ケース。
【請求項３】
前記商品収納部と前記帯状ハンガーが熱可塑性合成樹脂シートで形成されたことを特徴とする請求項１又は請求項２に記載の吊り下げ陳列用ケース。
【発明の詳細な説明】
【０００１】
【発明の属する技術分野】
本発明は、商品を店頭にて陳列販売する場合に使用される吊り下げ陳列用ケースに関するものである。
【０００２】
【従来の技術】
従来、小型電気製品、時計、化粧品、文具等の小型商品の吊り下げ陳列用ケースとしては、前面に商品が見える窓を有した商品を収納する紙箱や透明または半透明の合成樹脂シートで形成された商品収納部と、その頭部から延びた延設部分に吊り下げ用孔を設けたハンガーを備えた吊り下げ陳列用ケースが知られている。
【０００３】
この吊り下げ陳列用ケースは、ケースを吊り下げるハンガー部分が合成樹脂シートや紙の薄いシートであり、その腰が弱くまた吊り下げ用孔の強度にも欠けるため、吊り下げ用孔にフックを通して吊り下げた時にハンガーが変形したり、孔が破れて破損することがある。このため、吊り下げ陳列中にケースが前後や左右に傾いて真っ直ぐ正面を向かず、商品が見えにくいという欠点があった。
【０００４】
上記欠点を解決するために、図５に示すような、商品収納部１２の頭部両縁部１４ａ、１４ｂに接続部を設けて付設された帯状ハンガー１３を設け、このハンガー１３にフック７を通して吊り下げる、吊り下げ陳列用ケース１０が用いられている。
【０００５】
この吊り下げ陳列用ケース１０では、フック７を通す吊り下げ部が幅の広い帯状ハンガー１３であるので、商品の重量によるハンガーの変形や破損を防止することができ、吊り下げ安定性も向上するものである。
【０００６】
しかし、図６に示すように、フック７がハンガー１３の中央部から左右にずれたり、フック７がハンガー１３の中心線に対して斜めに通ったりすると、ケース１２が真っ直ぐ正面に向かず左右に傾いて中身が見苦しくなり、またケースが前後左右に振れたり、踊りやすく、商品の陳列効果を充分発揮することができず満足できないという問題点がある。
【０００７】
【発明が解決しようとする課題】
本発明は、上記の問題点を解決するもので、吊り下げ陳列用ケースの吊り下げ陳列時の安定性を向上してケースが真っ直ぐ正面を向き、中の商品がよく見えて陳列効果を発揮し、しかも安全に吊り下げ陳列ができる吊り下げ陳列用ケースを提供することを目的とする。
【０００８】
【課題を解決するための手段】
請求項１の発明は、透明または半透明の合成樹脂シートで形成された商品収納部と、前記収納部の頭部両縁部に接続部を設けて付設された熱可塑性樹脂シート製の帯状ハンガーとで構成された吊り下げ陳列用ケースにおいて、前記帯状ハンガーに、当該帯状ハンガーの中央部に左右対称に並列し、前記中央部に通したフックを挟む形で吊り下げる複数の内方向き突起部を設けたことを特徴とする吊り下げ陳列用ケースである。
【０００９】
この発明の吊り下げ陳列用ケースによれば、帯状ハンガーに内方向きに設けられた複数の突起部の間に陳列パネルの吊り下げ用フックが通され吊り下げられるので、吊り下げ陳列用ケースの傾き、振れや踊りが防止され吊り下げ陳列時の安定性をいっそう向上し、ケースが真っ直ぐ正面を向いて吊り下げられ、中の商品がよく見えるようになる。しかも、安定性がよいので、ケースの落下などが防止され安全に吊り下げ陳列することができる。
【００１０】
請求項２の発明は、前記帯状ハンガーの突起部がエンボス加工により形成されたことを特徴とする請求項１に記載の吊り下げ陳列用ケースである。
【００１１】
この発明によれば、突起部の形成が容易となる。
【００１２】
請求項３の発明は、前記商品収納部と前記帯状ハンガーが熱可塑性合成樹脂シートで形成されたことを特徴とする請求項１又は請求項２に記載の吊り下げ陳列用ケースである。
【００１３】
この発明によれば、商品収納部の形成、帯状ハンガーの接続および突起部の形成が熱溶着などの熱加工手段により実施でき、吊り下げ陳列用ケースの製造が容易となる。
【００１４】
【発明の実施の形態】
以下に本発明の実施形態を図面を参照して説明する。
【００１５】
図１は本発明の一実施形態を示す吊り下げ陳列用ケース１の概略斜視図である。
【００１６】
図１において、商品収納部２は中の商品（Ａ）がよく見える透明又は半透明の合成樹脂シートで形成され、収納部２の頭部４の両縁部４ａ，４ｂに接続部を設けてケース吊り下げ用の帯状ハンガー３が付設されている。
【００１７】
前記帯状ハンガー３の中央部には、図２のケース１の正面図に示すように、左右対称に並列する２個の内方向き突起部５ａ，５ｂが設けられている。
【００１８】
前記吊り下げ陳列用ケース１は、商品陳列パネルなどに配設されたフック７が前記帯状ハンガー３内方側の商品収納部２の頭部４との空間に通され、ケース１を吊り下げて商品を陳列するようになっている。
【００１９】
この帯状ハンガー３は、従来の吊り下げ用孔を有するハンガーに比べ、フックを通すハンガーに幅があり腰が強く、強度も高いので、吊り下げ陳列中にハンガーが変形したり破損することがなく、吊り下げ陳列時の安定性を向上するのは図５に示す従来品と同様である。
【００２０】
また、帯状ハンガー３の素材は、上記の吊り下げ時安定性と商品収納部２との接着性を備えれば特に制限されず、各種樹脂シート、厚手の紙製、樹脂フィルムのラミネート紙、布製などが使用できるが、接着性の観点からは収納部２と同一素材からなる合成樹脂シートを使用するのが好ましい形態である。
【００２１】
図２は本発明の吊り下げ陳列用ケース１の吊り下げ陳列時の正面図を示したものである。
【００２２】
図２に示すように、１本の棒状フック７は帯状ハンガー３の内方向きに設けられた突起部５，５の間に通され、フック７が突起部５，５に挟まれる形で吊り下げ陳列用ケース１が吊り下げられる。
【００２３】
従って、フック７は帯状ハンガー３と収納部２の頭部４の間の空間を左右にずれることがなく、フック７は吊り下げ陳列用ケースの中央部に常に位置するように維持することができる。
【００２４】
これにより、陳列用ケース１は真っ直ぐ正面を向いて吊り下げられ、陳列用ケース１が左右や前後に傾いたり振れること、また踊ることもなくなり、収納部２の商品（Ａ）がよく見え、陳列効果を向上することができる。
【００２５】
図３はフックの形態に対応した突起部の実施形態を示した例である。図３（ａ）は前記フックが２本のフック８ａ，８ｂの場合を示したものであり、２本のフック８ａ，８ｂが、帯状ハンガー３ａの２つの突起部５ａ，５ｂの両側に位置して通されたもので、図３（ｂ）は２本のフック８ｃ，８ｄが、２つの突起部５ｃ，５ｄの内側に位置して通され吊り下げられたものである。また、図３（ｃ）に示すような板状のフック８ｅの場合にも、もちろん使用することができ、いずれの場合も安定した吊り下げ状態を得ることができる。
【００２６】
上記のように、突起部の形成はフックの形態に合わせて、棒状の１本あるいは複数のフックや板状フックなどの形態に対応して、帯状ハンガーの内方側に突起部を設ければよい。
【００２７】
この突起部５の突起形状、大きさは特に制限されず、突起部がフックを互いに挟持し、フックのずれを防止できるものであればよく、例えば、半球形、立方体形、半円柱形などが挙げられ、またハンガーの左右対称の並列部の前後方向に複数の突起５ｆを設けてもよく（図４（ａ））、さらにハンガーの全幅にわたる突起５ｇを設ける（図４（ｂ））こともできる。
【００２８】
前記帯状ハンガー３に設けられる突起部５は、型押しによるエンボス加工によれば容易に形成することができる。従って、特に金型を用いた熱圧着によるエンボス加工が容易な熱可塑性又は熱硬化性合成樹脂を用いるのが、突起の形成加工の上で便利である。
【００２９】
また、前記商品収納部２と前記帯状ハンガー３は合成樹脂シートで形成するのが好ましく、さらには熱可塑性合成樹脂シートで形成されると、収納部の形成やハンガー部の接続などのケースの製造が熱溶着により可能となり好ましい。
【００３０】
前記熱可塑性樹脂シートとしては、ポリエチレン、ポリプロピレン、ポリスチレン、ＰＥＴなどの各種ポリエステル、ナイロン６などの各種ポリアミドなどの樹脂を挙げることができ、これらの単体シート及び複数の前記樹脂フィルムを積層した複合シートを使用することができる。ただし、燃焼によりダイオキシンや塩化水素ガスを発生し、またリサイクルのための分別が困難な塩化ビニルなどの塩素系樹脂は、昨今の環境問題の観点から使用を避けるのが好ましい。
【００３１】
また、収納する商品やケースに強度などの特性を必要とする場合は、熱硬化性樹脂シートを用いることもできる。
【００３２】
また、上記樹脂シートは軟質シートあるいは硬化剤などの添加剤を調整した硬質樹脂シートを、ケースの形状、収納商品の内容や陳列形態により選択することができる。
【００３３】
【発明の効果】
以上説明したように、本発明の吊り下げ陳列用ケースは、透明または半透明の合成樹脂シートで形成された商品収納部と前記収納部の頭部両縁部に接続部を設けて付設された熱可塑性樹脂シート製の帯状ハンガーで構成された吊り下げ陳列用ケースにおいて、前記帯状ハンガーに、当該帯状ハンガーの中央部に左右対称に並列し、前記中央部に通したフックを挟む形で吊り下げる複数の内方向き突起部を設けたもので、フックのケース中央部からのずれを確実に防止することができ、吊り下げ陳列用ケースが傾いたり、振れたり、踊ったりすることがなくなり、ケースを真っ直ぐ正面に向け陳列することができ、商品がよく見え陳列効果を高めることができる、優れた効果を有する。
【図面の簡単な説明】
【図１】  本発明実施形態の吊り下げ陳列用ケースの斜視図である。
【図２】  図１の正面図である（部分図）。
【図３】  本発明の他の実施形態の吊り下げ陳列用ケースの斜視図である。
【図４】  本発明の実施形態の突起部形状例を説明する斜視図である。
【図５】  従来例の吊り下げ陳列用ケースの斜視図である。
【図６】  図５の正面図である（部分図）。
【符号の説明】
１……吊り下げ陳列用ケース
２……商品収納部
３，３ａ〜３ｃ……帯状ハンガー
４……商品収納部の頭部
４ａ，４ｂ……商品収納部の頭部の縁部
５，５ａ〜５ｇ……突起部
６……収納部カバー
７，８ａ〜８ｅ……フック
Ａ……商品
【図１】
0003787677.tif 000002
【図２】
0003787677.tif 000003
【図３】
0003787677.tif 000004
【図４】
0003787677.tif 000005
【図５】
0003787677.tif 000006
【図６】
0003787677.tif 000007